(57)【要約】      （修正有）【課題】保温効果を有しながら、台湾などの亜熱帯に位置する区域でも長時間着用できるブーツを提供する。【解決手段】ブーツは、開口に第１接合部材２０が設けられ、外層が防水構造であるブーツ外体１０と、開口に軟質部１２１が設けられ、軟質部の下縁に第２接合部材２２が環設され、第２接合部材は第１接合部材と結合可能で、内層が保温構造１２２であるブーツ裏体１２と、その形状がブーツ外体の底部の形状に合い、ブーツ外体の底部に設けられている滑り止め部１４と、を含む。【選択図】図４
0003206640.tif 000002
【実用新案登録請求の範囲】
【請求項１】
開口に第１接合部材が設けられており、外層が防水構造であるブーツ外体と、
開口に軟質部が設けられており、前記軟質部の下縁に第２接合部材が環設されており、前記第２接合部材は前記第１接合部材と結合可能であり、内層が保温構造であるブーツ裏体と、
形状が前記ブーツ外体の底部の形状に合い、前記ブーツ外体の底部に設けられている滑り止め部と、
を含むことを特徴とするブーツ。
【請求項２】
前記第１接合部材と前記第２接合部材とは、互いに結合可能なジッパー、ベルクロ、又はボタンであることを特徴とする、請求項１に記載のブーツ。
【請求項３】
前記ブーツ裏体のユーザの踵に対応する箇所に保護マットが設けられていることを特徴とする、請求項１に記載のブーツ。
【考案の詳細な説明】
【技術分野】
【０００１】
本考案は、ブーツに関し、特に、レインブーツ及びスノーブーツとして利用可能であり、第１接合部材と第２接合部材とを結合し、又は分離することにより、ブーツ外体とブーツ裏体とを結合し、又は分離可能なブーツに関するものである。
【背景技術】
【０００２】
従来のスノーブーツは、滑り止め効果及び保温効果を有するが、防水効果を有しないものがある。防水効果を有しないスノーブーツを利用すると、小雨の場合でもスノーブーツが湿られて、ユーザの足部が冷たくて湿った。なお、防水効果を有するスノーブーツを利用する場合には、台湾などの亜熱帯に位置する区域で利用されると、冬時期が何時でも寒い訳ではなく、そして雨を降る期間が頻繁ではないため、滑り止め効果、保温効果及び防止効果を有するスノーブーツを着用すると、快適感が降下する問題がある。
【考案の概要】
【考案が解決しようとする課題】
【０００３】
本考案の主な目的は、防水効果を有し、又は有しない従来のスノーブーツは、保温効果を有し、見栄えは良いが、台湾などの亜熱帯に位置する区域で利用されると、寒い期間が長くないため、長時間に着用することに不向きであるという問題を解決可能なブーツを提供することにある。
【課題を解決するための手段】
【０００４】
本考案のブーツによると、開口に第１接合部材が設けられており、外層が防水構造であるブーツ外体と、開口に軟質部が設けられており、軟質部の下縁に第２接合部材が環設されており、第２接合部材は第１接合部材と結合可能であり、その内層が保温構造であるブーツ裏体と、形状がブーツ外体の底部の形状に合い、ブーツ外体の底部に設けられている滑り止め部と、を含むことを特徴とする。
【０００５】
本考案のブーツによると、第１接合部材と第２接合部材とは、互いに結合可能なジッパー、ベルクロ、又はボタンであることを特徴とする。
【０００６】
本考案のブーツによると、ブーツ裏体のユーザの踵に対応する箇所に保護マットが設けられていることを特徴とする。
【考案の効果】
【０００７】
本考案のブーツによれば、次のような効果がある。
（１）ブーツ外体が防水効果を有するため、雨が降っても、ユーザの足部が湿られず、ブーツ裏体が保温効果を有するため、寒い時期に、ユーザの足部が寒く感じない。
【０００８】
（２）軟質部を有するため、ユーザの足部が異物に傷付けられることを防止可能であり、そして保温効果を有する。
【０００９】
（３）滑り止め部を有するため、滑りやすい床面を走行しても、滑って倒れることを防止可能である。
【００１０】
（４）保護マットを有するため、ユーザが走行しているときに、踵に対する衝撃力を減少可能であり、長距離に走行しても、ユーザの足部は疲労しない。
【００１１】
（５）第１結合部材と第２結合部材とを結合し、又は分離することが可能なため、寒くない時期に、ブーツ裏体を取り外して、ブーツ外体だけを着用すると、防水効果を得ることが可能であり、なお、寒い時期に、ブーツ外体にブーツ裏体を入れて結合して着用すると、防水効果及び保温効果を同時に得ることが可能である。
【００１２】
（６）第１結合部材と第２結合部材とを結合し、又は分離することが可能なため、ブーツ裏体とブーツ外体とを別々に洗浄可能であり、ブーツ裏体またはブーツ外体が壊れたと、壊れたものだけを交換することが可能である。
【図面の簡単な説明】
【００１３】
【図１】本考案の一実施形態に係るブーツを示す斜視図である。
【図２】本考案の一実施形態に係るブーツを別の視点から見た斜視図である。
【図３】図２のブーツを示す断面図である。
【図４】本考案の一実施形態に係るブーツのブーツ外体とブーツ裏体とを分離した状態を示す斜視図である。
【図５】図４のブーツを示す断面図である。
【考案を実施するための最良の形態】
【００１４】
以下、本考案の実施の形態を図面に基づいて説明する。
【００１５】
図１から図５を参照する。本考案の一実施形態に係るブーツは、開口に第１接合部材２０が設けられており、外層が防水構造１０１であるブーツ外体１０と、開口に軟質部１２１が設けられており、軟質部１２１の下縁に第２接合部材２２が環設されており、第２接合部材２２は第１接合部材２０と結合可能であり、内層が保温構造１２２であるブーツ裏体１２と、形状がブーツ外体１０の底部の形状に合い、ブーツ外体１０の底部に設けられている滑り止め部１４と、を含む。
【００１６】
第１接合部材２０と第２接合部材２２とは、互いに結合可能なジッパー、ベルクロ、又はボタンである。
【００１７】
ブーツ裏体１２のユーザの踵に対応する箇所に保護マット１２３が設けられている。保護マット１２３は、弾性を有し、緩衝効果を得ることが可能なため、ユーザが走行しているときの衝撃力を減少可能である。
【００１８】
ブーツ外体１０とブーツ裏体１２とを結合したいときには、ブーツ外体１０にブーツ裏体１２を入れて、第１接合部材２０に第２接合部材２２を位置合わせて結合すると、ブーツ外体１０とブーツ裏体１２とを簡単に結合可能である。ブーツ外体１０の裏面の輪郭がブーツ裏体１２の外面の輪郭に合うため、ブーツ裏体１２が離脱し、又は変位することはできない。本実施形態に係るブーツを着用したいときには、ブーツ裏体１２にインソールを入れると、当該ブーツを直接に着用可能である。
【００１９】
ブーツ裏体１２を取り外したいときには、第１接合部材２０と第２接合部材２２とを分離して、ブーツ外体１０からブーツ裏体１２を取り外すことが可能である。
【００２０】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２１】
本考案は、ブーツに適用することができる。
【符号の説明】
【００２２】
１０  ブーツ外体
１２  ブーツ裏体
１４  滑り止め部
２０  第１接合部材
２２  第２接合部材
１０１  防水構造
１２１  軟質部
１２２  保温構造
１２３  保護マット
【図１】
0003206640.tif 000003
【図２】
0003206640.tif 000004
【図３】
0003206640.tif 000005
【図４】
0003206640.tif 000006
【図５】
0003206640.tif 000007
【手続補正書】
【提出日】平成28年7月28日(2016.7.28)
【手続補正１】
【補正対象書類名】実用新案登録請求の範囲
【補正対象項目名】全文
【補正方法】変更
【補正の内容】
【実用新案登録請求の範囲】
【請求項１】
開口に第１接合部材が設けられており、外層が防水構造であるブーツ外体と、
開口に軟質部が設けられており、前記軟質部の下縁に第２接合部材が環設されており、前記第２接合部材は前記第１接合部材と結合可能であり、内層が保温構造であるブーツ裏体と、
形状が前記ブーツ外体の底部の形状に合い、前記ブーツ外体の底部に設けられている滑り止め部と、
を含むことを特徴とするブーツ。
【請求項２】
前記第１接合部材と前記第２接合部材とは、互いに結合可能なジッパー、面ファスナー、又はボタンであることを特徴とする、請求項１に記載のブーツ。
【請求項３】
前記ブーツ裏体のユーザの踵に対応する箇所に保護マットが設けられていることを特徴とする、請求項１に記載のブーツ。